【事件の表示】
　特願２０１５−５４４１５８「応答エンドポイント選択」拒絶査定不服審判事件〔平成２６年　６月１９日国際公開、ＷＯ２０１４／０９２９８０、平成２８年　１月２１日国内公表、特表２０１６−５０２１９２、請求項の数（１４）〕について、次のとおり審決する。
【結　論】
　原査定を取り消す。
　本願の発明は、特許すべきものとする。
【理　由】
第１　手続の経緯
　本願は，平成２５年１１月２２日（パリ条約による優先権主張　平成２４年１２月１４日，米国）を国際出願日とする出願であって，平成２８年７月２５日付けで拒絶理由通知がされ，平成２８年１０月１１日付けで手続補正がされ，平成２９年１月２３日付けで最後の拒絶理由通知がされ，平成２９年５月１日付けで手続補正がされ，平成２９年５月１１日付けで平成２９年５月１日付けの手続補正が却下されるとともに拒絶査定（原査定）がされ，これに対し，平成２９年９月１２日に拒絶査定不服審判の請求がされ，同時に手続補正がされたものである。
第２　原査定の概要
　原査定（平成２９年５月１１日付け拒絶査定）の概要は次のとおりである。
　本願請求項１−１４に係る発明は，以下の引用文献１，２に基づいて，その発明の属する技術の分野における通常の知識を有する者（以下，「当業者」という。）が容易に発明できたものであるから，特許法第２９条第２項の規定により特許を受けることができない。
引用文献等一覧
１．米国特許出願公開第２００９／０１１９２６４号明細書
２．特開２００３−１１６１７５号公報
第３　本願発明
　本願請求項１−１４に係る発明（以下，それぞれ「本願発明１」−「本願発明１４」という。）は，平成２９年９月１２日付けの手続補正で補正された特許請求の範囲の請求項１−１４に記載された事項により特定される発明であり，本願発明１，７，１１は以下のとおりの発明である。
「【請求項１】
　コンピューティングシステムであって，
　　リモートコンピューティングシステムと，
　　ユーザにローカルな様々な位置に位置する複数のエンドポイントデバイスであって，
　　　第１のエンドポイントデバイスが，
　　　　１または複数のプロセッサと，
　　　　コンピュータ実行可能な命令を記憶するコンピュータ可読記憶媒体と，
　　　　ユーザからの音声入力を受信するための少なくとも１つのマイクロホンであって，前記音声入力はユーザ要求を含む，マイクロホンと，
　　　　前記ユーザ要求を前記リモートコンピューティングシステムに送信するインターフェースと，を備え，
　　　前記リモートコンピューティングシステムが，前記ユーザ要求への応答を生成し，前記ユーザ要求に基づいて前記応答を伝達すべき時間を決定し，前記決定した時間における前記ユーザの位置に基づいて第２のエンドポイントデバイスを選択し，および，前記応答を前記第２のエンドポイントデバイスに送信するように構成された１または複数の実行可能なモジュールを備え，
　　　前記第２のエンドポイントデバイスが，
　　　　１または複数のプロセッサと，
　　　　コンピュータ実行可能な命令を記憶するコンピュータ可読記憶媒体と，
　　　　前記ユーザの前記位置を特定するために，カメラに取り込まれた画像を前記リモートコンピューティングシステムへ送信し，および，前記リモートコンピューティングシステムから前記応答を受信するインターフェースと，
　　　　前記応答を音声形式で前記ユーザに出力するための少なくとも１つのスピーカと，を備える，複数のエンドポイントデバイスと
　を備えるコンピューティングシステム。」
「【請求項７】
　　実行可能な命令で構成された１または複数のコンピュータシステムの制御下で，
　　ユーザからの要求を受信することと，
　　前記要求を処理して応答を生成することと，
　　前記要求に基づいて，前記応答を伝達すべき時間を決定することと，
　　前記決定した時間における前記ユーザの位置に基づいて，前記応答を伝達するためのコンピューティングデバイスを選択することであって，前記ユーザの前記位置は，カメラに取り込まれた画像に基づいて特定される，ことと，
　　前記応答を前記選択されたコンピューティングデバイスに伝達することと，
　を含むコンピュータ実装方法。」
「【請求項１１】
　実行可能な命令で構成された１または複数のコンピュータシステムの制御下で，
　　ユーザへの伝達のためにメッセージを取得することと，
　　前記ユーザからの前記メッセージの要求に基づいて，前記メッセージを伝達すべき時間を決定することと，
　　前記決定した時間における前記ユーザの位置を決定することであって，前記ユーザの前記位置は，カメラに取り込まれた画像に基づいて特定される，ことと，
　　前記位置に基づいて，１または複数の利用可能なコンピューティングデバイスのうちの１つを選択することと，
　　前記ユーザへの提示のために前記メッセージを前記選択されたコンピューティングデバイスに伝達することと
　を含むコンピュータ実装方法。」
　なお，本願発明２−６，８−１０，１２−１４の概要は以下のとおりである。
　本願発明２−６は，本願発明１を直接引用した発明である。
　本願発明８−１０は，本願発明７を直接引用した発明である。
　本願発明１２−１４は，本願発明１１を直接引用した発明である。
第４　引用文献，引用発明等
１　引用文献１について
　原査定の拒絶の理由に引用された引用文献１には，図面とともに次の事項が記載されている（なお，下線は重要箇所に対して当審が付した。以下，同様。）。
（１）段落[0073]
「[0073] FIG.3 depicts an embodiment of a system 300 comprising a messaging interface(s) to a search system. 
The system 300 may include at least one human searcher (or guide) 395 who can use a guide system 390 to perform a search for information using resources accessible via the network 375 and/or other information accessible to the guide, as described herein above. Users such as user 301 may send queries to the search system 380 using the user system 302 via the network 375. A user such as the user 341 may submit spoken search queries to the search system 380 using the telephone 342 via the (PSTN) 340 and the voice messaging service 343, such as a voice translation server, which may provide speech to text and text to speech services. As will be described below, users (or requesters) 311, 321, 331 may be able to use messaging technologies to interact with the search system 380.
（当審仮訳：[0073] 図３は，検索システムへのメッセージングインターフェースを含むを含むシステム３００の実施形態を示す図である。
システム３００は，ネットワーク３７５を介して利用可能なリソース，及び／又は，上記のようなガイドに利用できる他の情報を使って情報の検索を行うためにガイドシステム３９０を使うことができる，少なくとも一人の人間の検索者（又はガイド）３９５を含んでよい。ユーザ３０１のようなユーザは，ネットワーク３７５を介して，ユーザシステム３０２を用いて，検索システム３８０にクエリを送信してもよい。ユーザ３４１のようなユーザは，公衆交換電話網を介しての電話３４２，及び，発話テキストサービスを提供する音声翻訳サーバのような音声メッセージサービス３４３を使って，検索システム３８０に発話された検索クエリを提出することができる。以下に説明するように，ユーザ(又は要求者)３１１，３２１，３３１は，検索システム３８０と相互作用するためにメッセージング技術を使うことができてよい。
（２）段落[0089]−[0102]
「[0089] 
A user may access a service(s) of the search system 380 using various communication services, such as voice, mobile messaging such as SMS, EMS and MMS, instant messaging (IM), email, an internet connection, and/or other communication service(s). A user may desire to submit a search request and/or receive information from the search system 380 using any or all communication service(s) which are accessible to a user.
[0090] 
FIG.4 depicts an alternate embodiment of a system 400 comprising a messaging interface to the search system 380. The system 400 may include at least one user system 440 and at least one messaging service 450.
[0091] As illustrated in FIG.4, more than one of each type of message application process can be provided. 
In at least one embodiment, two or more message application processes can be present in system 400. For example, in a system in which a search can be performed with a guide or without a guide a message application process can be provided for each search option. For example, a message application process 405 might be provided for a search with a guide and a message application process 410 might be provided for a search without a guide.
[0092] 
In such an instance, the message application process 405 for a search with a guide may allow a guide(s) and a user at a user system (e.g., a user system 440) to communicate using IM, email, SMS, EMS, MMS, voice, and/or other communication services.
As illustrated in FIG.4, when the ‘Guide’ message application process  405  for a search with a guide is selected, a search query may be parsed, categorized, and/or otherwise processed and a guide may be located to handle the search query.
[0093] 
FIG.5 illustrates an exemplary process 500 for a guided search.
[0094] 
In operation 505, a determination is made as to whether a search request which requires the assistance of a guide (or a searcher) is received.
[0095] 
In operation 510 a message is received including a user query, for example, via the instant message application 329, the voice messaging service 343, the mobile messaging application 319, or the email message application 339.
[0096] 
In operation 515 a search query is extracted from a message.
[0097] 
In operation 520 a query message is transmitted to the search system 380, which may include any information determined using the message received in operation 510.
[0098] 
In operation 525 a searcher(s) is selected.
[0099] 
In operation 530 a determination is made as to whether search result is obtained. If in operation 530 it is determined that a search result is not obtained, control remains at operation 530 and process 500 continues. If in operation 530 it is determined that a search result is obtained, control is passed to operation 535 and process 500 continues.
[0100] 
In operation 535, a response (or a message) including a search result(s) is transmitted from the search system 380 to the message application process 405.
[0101] 
In operation 540, a search result is processed by the message application 405 and a response message is transmitted to the message service 450.
[0102] 
In operation 545 a response message is transmitted by the messaging service 450  to the messaging client 445.
（当審仮訳：[0089]
ユーザは，音声，モバイルメッセージ（ＳＭＳ，ＥＭＳ及びＭＭＳ等），インスタントメッセージ，電子メール，インターネット接続及び／又は他の通信サービス等の様々な通信サービスを使って検索システム３８０のサービスにアクセスしてよい。ユーザは，検索要求の提出及び／又はアクセスできるいずれか又は全ての通信サービスを使って検索システム３８０からの情報の受信を希望してよい。
[0090]
図４は，検索システム３８０へのメッセージインターフェースを含むシステム４００の
形態を示す。システム４００は，少なくとも１つのユーザシステム４４０と少なくとも１つのメッセージサービス４５０を含んでよい。
[0091]図４に図示されるように，１つ以上のメッセージアプリケーション処理のそれぞれのタイプが提供される。
少なくとも１つの実施形態では，２つ以上のメッセージアプリケーション処理がシステム４００で示される。例えば，ガイド有り又はガイド無しの検索が実行されるシステムにおいて，メッセージアプリケーション処理がそれぞれの検索オプションを提供できる。例えば，メッセージアプリケーション処理４０５はガイド有り検索を提供でき，メッセージアプリケーション処理４１０はガイド無し検索を提供できる。
[0092]
そのような実施例において，ガイド有り検索のためのメッセージアプリケーション処理４０５は，ガイドとユーザシステム（例えば，ユーザシステム４４０）のユーザがインスタントメッセージ，電子メール，ＳＭＳ，ＥＭＳ，ＭＭＳ，音声及び／又は他の通信サービスを使って通信することを可能にする。
図４で図示されるように，ガイド有りサーチのための‘ガイド’メッセージアプリケーション処理４０５が選択されたとき，検索クエリは，構文解析され，分類され，及び／又は，別の方法で処理され，ガイドは検索クエリを処理するために配置されてよい。
[0093]
図５は，ガイド有り検索の例示の処理５００を示している。
[0094]
工程５０５において，ガイド（又は検索者）の支援が必要な検索要求が受信されたか否かに関しての決定が行われる。
[0095]
工程５１０において，メッセージは，例えば，インスタントメッセージアプリケーション３２９，音声メッセージサービス３４３，携帯メッセージアプリケーション３１９又は電子メールアプリケーション３３９を介して，ユーザクエリを含めて受信される。
[0096]
工程５１５において，検索クエリがメッセージから抽出される。
[0097]
工程５２０において，クエリメッセージが検索システム３８０へ送信され，これは，工程５１０で受信したメッセージを使って決定された任意の情報を含んでよい。
[0098]
工程５２５において，検索者が選択される。
[0099]
工程５３０において，検索結果が得られた否かに関して判断が行われる。もし工程５３０において，検索結果が得られていないと判断されると，制御は工程５３０に留まり，処理５００は継続する。もし工程５３０において，検索結果が得られたと判断されると，制御は工程５３５に渡され，処理５００は継続する。
[0100]
工程５３５において，検索結果を含む応答（又はメッセージ）が検索システム３８０からメッセージアプリケーション処理４０５へ転送される。
[0101]
工程５４０において，メッセージアプリケーション処理４０５によって検索結果が処理され，応答メッセージがメッセージサービス４５０に送信される。
[0102]
工程５４５において，応答メッセージが，メッセージサービス４５０によってメッセージクライアント４４５へ送信される。
（３）段落[0213]−[0220]
「[0213] 
As illustrated in FIG.20 a process 2000 for associating a communication service(s) with a search request(s) is provided. The process 2000 may be operative on the search system 380 (FIG.3) and/or any other suitable system such as a server associated with the mobile messaging application 319 (FIG.3).
[0214] 
In operation 2005 a determination is made as to whether a query (or a message) is received, for example, from a user is received.
[0215] 
In operation 2010 an identifier associated with a message is obtained.
[0216] 
In operation 2015 a determination is made as to whether an additional communication service(s) is associated with a message.
[0217] The determination in operation 2015 may be based on comparing an identifier associated with a message to information indicated in the database 385 to determine if the identifier is associated with a user ID, which may be associated with a different communication service(s) and/or device(s).
[0218] 
In operation 2020 a communication service(s) is associated with a query (or a message).
For example, any communication service(s) associated with a user identifier may be associated with a search request so that a user may receive immediate notification of information related to a search request(s) such as a search result(s), or other information. Alternately, a communication service(s) may be selectively associated with a search request based on factors such as a category(ies), a keyword(s), a location, availability information, user selections, or other information which may be indicated in the database 385 (FIG.3). Using such associations, a user may include information of a communication service(s) which may be utilized to transmit information associated with a search request when a search request is submitted.
[0219] 
In operation 2025 a determination is made as to whether a search result(s) or other information is available to be transmitted to a user.
[0220] 
In operation 2030 a search result(s) or other information is transmitted to a user.
（当審仮訳：[0213]
図２０に図示されるように，通信サービスと検索結果を関連付けるための処理２０００が提供される。処理２０００は，検索システム３８０（図３），及び／又は，モバイルメッセージアプリケーション３１９（図３）と関連付けられたサーバのような任意の他の適合するシステムで実行できてよい。
［0214]
工程２００５において，クエリ（又はメッセージ）が受信されたか否か，例えば，ユーザから受信されたかに関しての判断が行われる。
[0215]
工程２０１０において，メッセージに関連付けられた識別子が得られる。
[0216]
工程２０１５において，追加の通信サービスがメッセージに関連付けられているか否かに関しての判断が行われる。
[0217]工程２０１５での決定は，識別子が異なる通信サービス及び／又は装置と関連付けらてよいユーザＩＤと関連付けされているかどうかを判断するためのデータベース３８５で示される情報のメッセージと関連付けられた識別子と比較することに基づいてよい。
[0218]
工程２０２０において，通信サービスがクエリ（又はメッセージ）と関連付けられる。
例えば，検索結果又は他の情報のような検索要求と関連する情報の即時の通知を受信できるように，ユーザ識別子と関連付けられた任意の通信サービスは，検索結果と関連付けられてよい。代替的に，通信サービスは，データベース３８５で示される分類，キーワード，位置，有用性情報，ユーザ選択又は他の情報ような要素に基づいて検索要求と選択的に関連付けられてよい。そのような関連付けを使用して，ユーザは，検索要求が提出されたときに，検索要求に関連付けられた情報の送信に利用できる通信サービスの情報を含めてよい。
[0219]
工程２０２５において，検索結果又は他の情報がユーザに送信されるべきか否かの判断が行われる。
[0220]
工程２０３０において，検索結果又は他の情報がユーザに送信される。
　したがって，上記引用文献１には次の発明（以下，「引用発明」という。）が記載されていると認められる。
「システムは，ネットワーク３７５を介して利用可能なリソース，及び／又は，上記のようなガイドに利用できる他の情報を使って情報の検索を行うためにガイドシステム３９０を使うことができる，少なくとも一人の人間の検索者（又はガイド）３９５を含んでよく，ユーザ３０１のようなユーザは，ネットワーク３７５を介して，ユーザシステム３０２を用いて，検索システム３８０にクエリを送信してもよく，ユーザ３４１のようなユーザは，公衆交換電話網を介しての電話３４２，及び，発話テキストサービスを提供する音声翻訳サーバのような音声メッセージサービス３４３を使って，検索システム３８０に発話された検索クエリを提出することができ，ユーザ(又は要求者)３１１，３２１，３３１は，検索システム３８０と相互作用するためにメッセージング技術を使うことができ，
　音声，モバイルメッセージ（ＳＭＳ，ＥＭＳ及びＭＭＳ等），インスタントメッセージ，電子メール，インターネット接続及び／又は他の通信サービス等の様々な通信サービスを使ってユーザがサービスにアクセスしてよい検索システム３８０において，
　ユーザは，検索要求の提出及び／又はアクセスできるいずれか又は全ての通信サービスを使って検索システム３８０からの情報の受信を希望してよく，
　検索システム３８０へのメッセージインターフェースを含むシステムの形態では，少なくとも１つのユーザシステム４４０と少なくとも１つのメッセージサービス４５０を含んでよく，
　２つ以上のメッセージアプリケーション処理がシステムで示され，例えば，ガイド有り又はガイド無しの検索が実行されるシステムにおいて，メッセージアプリケーション処理がそれぞれの検索オプションを提供でき，例えば，メッセージアプリケーション処理４０５はガイド有り検索を提供でき，メッセージアプリケーション処理４１０はガイド無し検索を提供でき，
　ガイド有り検索のためのメッセージアプリケーション処理４０５は，ガイドとユーザシステム（例えば，ユーザシステム４４０）のユーザがインスタントメッセージ，電子メール，ＳＭＳ，ＥＭＳ，ＭＭＳ，音声及び／又は他の通信サービスを使って通信することを可能にし，
　ガイド有り検索の例示の処理５００では，
　工程５０５において，ガイド（又は検索者）の支援が必要な検索要求が受信されたか否かに関しての決定が行われ，
　工程５１０では，メッセージは，例えば，インスタントメッセージアプリケーション３２９，音声メッセージサービス３４３，携帯メッセージアプリケーション３１９又は電子メールアプリケーション３３９を介して，ユーザクエリを含めて受信され，
　工程５１５において，検索クエリがメッセージから抽出され，
　工程５２０において，クエリメッセージが検索システム３８０へ送信され，これは，工程５１０で受信したメッセージを使って決定された任意の情報を含んでよく，
　工程５２５において，検索者が選択され，
　工程５３０において，検索結果が得られた否かに関して判断が行われ，もし工程５３０において，検索結果が得られていないと判断されると，制御は工程５３０に留まり，処理５００は継続し，もし工程５３０において，検索結果が得られたと判断されると，制御は工程５３５に渡され，処理５００は継続し，
　工程５３５において，検索結果を含む応答（又はメッセージ）が検索システム３８０からメッセージアプリケーション処理４０５へ転送され，
　工程５４０において，メッセージアプリケーション処理４０５によって検索結果が処理され，応答メッセージがメッセージサービス４５０に送信され，
　工程５４５において，応答メッセージが，メッセージサービス４５０によってメッセージクライアント４４５へ送信され，
　通信サービスと検索結果を関連付けるための処理２０００は，検索システム３８０，及び／又は，モバイルメッセージアプリケーション３１９と関連付けられたサーバのような任意の他の適合するシステムで実行できてよく，
　工程２００５において，クエリ（又はメッセージ）が受信されたか否か，例えば，ユーザから受信されたかに関しての判断が行われ，
　工程２０１０において，メッセージに関連付けられた識別子が得られ，
　工程２０１５において，追加の通信サービスがメッセージに関連付けられているか否かに関しての判断が行われ，
　工程２０２０において，通信サービスがクエリ（又はメッセージ）と関連付けられ，例えば，検索結果又は他の情報のような検索要求と関連する情報の即時の通知を受信できるように，ユーザ識別子と関連付けられた任意の通信サービスは，検索結果と関連付けられてよく，代替的に，通信サービスは，データベース３８５で示される分類，キーワード，位置，有用性情報，ユーザ選択又は他の情報ような要素に基づいて検索要求と選択的に関連付けられてよく，そのような関連付けを使用して，ユーザは，検索要求が提出されたときに，検索要求に関連付けられた情報の送信に利用できる通信サービスの情報を含めてよく，
　工程２０２５において，検索結果又は他の情報がユーザに送信されるべきか否かの判断が行われ，
　工程２０３０において，検索結果又は他の情報がユーザに送信される，
　システム。」
２　引用文献２について
　原査定の拒絶の理由に引用された引用文献２には，図面とともに次の事項が記載されている。
「【００１３】Ａ．第１の実施形態
（１）実施形態の構成
図１は，第１の実施形態に係るネットワーククシステム１００の構成を示す図である。ネットワークシステム１００は，移動パケット通信網，移動電話網等から構成される移動通信網２００と，移動通信網２００内に収容された図示せぬ交換機を介して該移動通信網２００による種々の無線通信サービスを享受することが可能な移動機２２０と，公衆電話網，インターネット網等から構成される通信網３００と，移動通信網２００及び通信網３００に接続されるサービスセンタ２３０と，通信網３００に接続されるパーソナルコンピュータ（以下，ＰＣという）３１０，ファクシミリ装置３２０，固定電話３３０ａ，３３０ｂ等を具備している。なお，図１では，図面が煩雑になるのを防ぐため，移動機２２０，ＰＣ３１０，ファクシミリ装置３２０，固定電話３３０ａ，３３０ｂをそれぞれ１台又は２台ずつ図示している。以下，係るネットワークシステム１００を利用した着信通知サービスを提供するサービスセンタ２３０の詳細構成について説明する。なお，以下の説明は，固定電話３３０ｂが移動機２２０に対する発呼を行った場合を想定している。
【００１４】ａ）サービスセンタ２３０
図２は，サービスセンタ２３０の構成を示すブロック図である。サービスセンタ２３０は，移動機２２０の位置情報等に基づいて着信通知先を決定し，決定した着信通知先に着信通知メッセージを送信する機能を備えており，位置情報取得部２０２と，呼制御部２０３と，着信通知先決定部２０４と，着信通知メッセージ作成部２０５と，データベース部２０６とを具備している。位置情報取得部２０２は，定期的に当該サービスセンタ２３０が提供する着信通知サービスを享受する契約が行われた全ての移動機（以下，着信通知サービスを受ける契約が行われた移動機を移動機２２０とする）にアクセスし，各移動機２２０に対して位置情報の送信を要求する。
本実施形態に係る移動機２２０は，ＧＰＳ（global positioning system）受信機２２０ａを備えており，サービスセンタ２３０から位置情報の送信要求があった場合には，当該要求に応じてＧＰＳ衛星（図示略）からの受信電波に基づき，現位置における緯度，経度及び電波受信時刻等によって構成される位置情報を求め，求めた位置情報を移動通信網２００を介してサービスセンタ２３０の位置情報取得部２０２に送信するように構成されている。
【００１５】
呼制御部２０３は，移動機２２０に対する発呼を検出すると共に，ある移動機２２０に対する発呼を検出した場合には，呼制御部２０３に格納されているステータスフラグを参照することにより，その移動機２２０が着信拒否状態にあるか否かを判断する。
【００１６】呼制御部２０３は，このステータスフラグを参照し，ある移動機２２０が「着信許可モード」に設定されていると判断すると，すなわち，該移動機２２０が呼を受けることができる状態にあると判断すると，該移動機２２０に対して通常の発呼処理を行う。一方，
呼制御部２０３は，「着信拒否モード」に設定されていると判断すると，発呼された移動機２２０の識別番号（例えば，移動機２２０が携帯電話等である場合には，電話番号等）を着信通知先決定部２０４に通知する
【００１７】
着信通知先決定部２０４は，呼制御部２０３から発呼された移動機２２０の識別番号を受け取ると，該識別番号を検索キーとして位置情報取得部２０２のメモリ２０２ｂを検索し，発呼された移動機２２０に対応付けて格納されている位置情報を該メモリ２０２ｂから読み出し，読み出した位置情報と該移動機２２０の識別番号を検索キーとして，データベース部２０６を検索する。
【００１８】データベース部２０６には，当該着信通知サービスを受ける移動機２２０毎に，各移動機２２０のユーザによって登録されたユーザテーブルＴＡが格納されている。各ユーザテーブルＴＡには，移動機２２０の識別番号がユーザＩＤとして付与されており，これにより各ユーザテーブルＴＡがどの移動機２２０に対応したものであるのかを判別することが可能となっている。このようにユーザＩＤとして移動機２２０の識別番号が付与されたユーザテーブルＴＡには，位置設定情報と，位置設定情報に関連付けられた通知先設定情報とからなる設定情報が格納されている。
【００１９】具体的には，位置設定情報として「会社」，「自宅」，「会社及び自宅以外」が設定され，各位置設定情報に関連づけられた通知先設定情報として「固定電話」，「ファクシミリ装置」，「ＰＣ」，「移動機」等の通知先機器情報が設定され，図示の例では，位置設定情報「会社」に通知先設定情報「ファクシミリ装置」，「固定電話」，「ＰＣ」が関連付けられた設定情報や，位置情報「自宅」に通知先設定情報「固定電話」，「ＰＣ」が関連付けられた設定情報等がデータベース部２０６に格納されている。
【００２０】ここで，図３に示す優先順位は，着信通知先を決定するための優先順位である。例えば，
位置設定情報として「会社」が選択された場合には，まず着信通知先として優先順位「１」に対応する「ファクシミリ装置」が選択される。選択された「ファクシミリ装置」に着信通知が行えない場合（例えば，使用中等の場合）には，次に優先順位「２」に対応する「固定電話」が選択される。選択された「固定電話」についても「ファクシミリ装置」と同様，着信通知が行えない場合には，最も優先度の低い優先順位「３」に対応する「ＰＣ」が選択される。
【００２１】さらに，
位置情報として「会社及び自宅以外」が選択された場合には，「移動機」が選択され，選択された「移動機」に対してショートメール，電子メール等により着信通知が行われるのみである。
　したがって，引用文献２には，「移動機２２０に対する発呼を検出した場合には，その移動機２２０が着信拒否状態にあるか否かを判断し，「着信拒否モード」に設定されていると判断すると，発呼された移動機２２０の識別番号を検索キーとして位置情報取得部２０２のメモリ２０２ｂを検索し，発呼された移動機２２０に対応付けて格納されている位置情報を該メモリ２０２ｂから読み出し，読み出した位置情報と該移動機２２０の識別番号を検索キーとして，データベース部２０６を検索し，位置設定情報として「会社」が選択された場合には，まず着信通知先として優先順位「１」に対応する「ファクシミリ装置」が選択され，次に優先順位「２」に対応する「固定電話」が選択され，次に最も優先度の低い優先順位「３」に対応する「ＰＣ」が選択され，位置情報として「会社及び自宅以外」が選択された場合には，「移動機」が選択され，選択された「移動機」に対してショートメール，電子メール等により着信通知が行われる」という技術的事項が記載されていると認められる。
第５　対比・判断
１　本願発明７について
（１）対比
　本願発明７と引用発明とを対比すると，次のことがいえる。
ア　引用発明では，「ガイド有り検索の例示の処理５００」の「工程５０５」において「ガイド（又は検索者）の支援が必要な検索要求が受信されたか否かに関しての決定が行われ」，また，「工程５１０」において「メッセージは，ユーザクエリを含めて受信され」ており，この「検索要求」や「ユーザクエリ」を含む「メッセージ」を「受信」することは，本願発明７の「ユーザからの要求を受信すること」に相当する。
イ　引用発明では，「工程５１５」において「検索クエリがメッセージから抽出され」，「工程５２０」において「クエリメッセージが検索システム３８０へ送信され」，また，「工程５３０」において「検索結果が得られた否かに関して判断が行われ」，「工程５３５」において「検索結果を含む応答（又はメッセージ）が検索システム３８０からメッセージアプリケーション処理４０５へ転送され」ており，工程５３５で転送するために「検索結果を含む応答（又はメッセージ）」が生成されていることは明らかである。
　そうすると，引用発明において，「メッセージ」から「検索クエリ」を「抽出」し，「検索結果を含む応答（又はメッセージ）」を生成することは，本願発明７の「前記要求を処理して応答を生成すること」に相当する。
ウ　引用発明では，「工程５３０」において「検索結果が得られた否かに関して判断が行われ」，「検索結果が得られていないと判断されると，制御は工程５３０に留まり」，「検索結果が得られたと判断されると，制御は工程５３５に渡され」る。その後，「工程５３５」において「検索結果を含む応答（又はメッセージ）が検索システム３８０からメッセージアプリケーション処理４０５へ転送され」，「工程５４０」において「メッセージアプリケーション処理４０５によって検索結果が処理され，応答メッセージがメッセージサービス４５０に送信され」，「工程５４５」において「応答メッセージが，メッセージサービス４５０によってメッセージクライアント４４５へ送信され」るから，「工程５３０」での「検索結果が得られた」との「判断」により，「工程５３５」から［工程５４５」での応答動作が開始されるといえ，このことは，本願発明７の「前記要求に基づいて，前記応答を伝達すべき時間を決定すること」と「前記応答を伝達すべきことを決定する」という点で共通するといえる。
エ　引用発明では，「通信サービスと検索結果を関連付けるための処理２０００」の「工程２０２０」において「通信サービスがクエリ（又はメッセージ）と関連付けられ，例えば，検索結果又は他の情報のような検索要求と関連する情報の即時の通知を受信できるように，ユーザ識別子と関連付けられた任意の通信サービスは，検索結果と関連付けられてよく，代替的に，通信サービスは，データベース３８５で示される分類，キーワード，位置，有用性情報，ユーザ選択又は他の情報ような要素に基づいて検索要求と選択的に関連付けられてよく，そのような関連付けを使用して，ユーザは，検索要求が提出されたときに，検索要求に関連付けられた情報の送信に利用できる通信サービスの情報を含めてよく」，この「通信サービス」が「データベース３８５で示される」「位置」「に基づいて検索要求と選択的に関連付けられてよく，そのような関連付けを使用して，ユーザは，検索要求が提出されたときに，検索要求に関連付けられた情報の送信に利用できる通信サービスの情報を含めてよ」いことは，本願発明７の「前記決定した時間における前記ユーザの位置に基づいて，前記応答を伝達するためのコンピューティングデバイスを選択することであって，前記ユーザの前記位置は，カメラに取り込まれた画像に基づいて特定される，こと」と，「位置に基づいて，前記応答を伝達するための選択を行う」という点で共通するといえる。
オ　引用発明では，「工程５４５」において「応答メッセージが，メッセージサービス４５０によってメッセージクライアント４４５へ送信され」ており，このことは，本願発明７の「前記応答を前記選択されたコンピューティングデバイスに伝達すること」と「前記応答をコンピューティングデバイスに伝達する」という点で共通するといえる。
カ　引用発明において，「ガイド有り検索」は「検索システム３８０へのメッセージインターフェースを含むシステム４００」で実行され，また，「通信サービスと検索結果を関連付けるための処理２０００」は「検索システム３８０」で「実行できてよ」く，この「システム４００」や「検索システム３８０」で実行される「ガイド有り検索」や「通信サービスと検索結果を関連付けるための処理２０００」は，「実行可能な命令で構成された１または複数のコンピュータシステムの制御下で」実行される「コンピュータ実装方法」であるといえる。
　よって，本願発明７と引用発明との間には，次の一致点，相違点があるといえる。
（一致点）
「実行可能な命令で構成された１または複数のコンピュータシステムの制御下で，
　ユーザからの要求を受信することと，
　前記要求を処理して応答を生成することと，
　前記応答を伝達すべきことを決定することと，
　位置に基づいて，前記応答を伝達するための選択を行うことと，
　前記応答をコンピューティングデバイスに伝達することと，
　を含むコンピュータ実装方法。」
（相違点）
（相違点１）本願発明７では，「前記要求に基づいて，前記応答を伝達すべき時間を決定する」のに対して，引用発明は，「工程５３０」での「検索結果が得られた」との「判断」により，「工程５３５」から［工程５４５」での応答動作が開始されるものであって，「前記要求に基づいて，前記応答を伝達すべき時間を決定する」ものではない点。
（相違点２）本願発明７では，「前記決定した時間における前記ユーザの位置に基づいて，前記応答を伝達するためのコンピューティングデバイスを選択することであって，前記ユーザの前記位置は，カメラに取り込まれた画像に基づいて特定される」のに対して，引用発明では，「位置」に基づいて選択されるのが「通信サービス」であって「コンピューティングデバイス」ではなく，さらに，「通信サービス」が「データベース３８５で示される」「位置」「に基づいて検索要求と選択的に関連付けられてよ」いものの，この「位置」が如何なる時点における如何なるものの位置であるのかが特定されておらず，「前記決定した時間」におけるものではなく，「カメラに取り込まれた画像に基づいて特定される」「ユーザ」の「位置」でもない点。
（相違点３）本願発明７では，「前記応答を前記選択されたコンピューティングデバイスに伝達する」のに対して，引用発明では，上記（相違点２）で述べたとおり，「位置」に基づいて選択されるのが「通信サービス」であって「コンピューティングデバイス」ではなく，「選択されたコンピューティングデバイス」に応答を伝達するものではない点。
（２）相違点についての判断
　まず，上記相違点１について検討する。
　引用文献１−２には，「前記要求に基づいて，前記応答を伝達すべき時間を決定すること」は記載も示唆もされていない。
　また，「前記要求に基づいて，前記応答を伝達すべき時間を決定すること」が，本願出願前に周知技術であったということもできない。
　したがって，上記相違点２−３について検討するまでもなく，本願発明７が引用発明及び引用文献２に記載された技術的事項に基づいて，当業者が容易に発明できたものであるということはできない。
２　本願発明８−１０について
　本願発明８−１０も，本願発明７の「前記要求に基づいて，前記応答を伝達すべき時間を決定すること」と同一の構成を有するものであるから，本願発明７と同じ理由により，当業者であっても引用発明及び引用文献２に記載された技術的事項に基づいて，当業者が容易に発明をすることができたものとはいえない。
３　本願発明１１−１４について
　本願発明１１−１４も，本願発明７の前記要求に基づいて，前記応答を伝達すべき時間を決定すること」と実質的に同一の「前記ユーザからの前記メッセージの要求に基づいて，前記メッセージを伝達すべき時間を決定すること」という構成を有するものであるから，本願発明７と同じ理由により，当業者であっても引用発明及び引用文献２に記載された技術的事項に基づいて，当業者が容易に発明をすることができたものとはいえない。
４　本願発明１−６について
　本願発明１−６も，本願発明７の「前記要求に基づいて，前記応答を伝達すべき時間を決定すること」と実質的に同一の「前記ユーザ要求に基づいて，前記応答を伝達すべき時間を決定し，」という構成を有するものであるから，本願発明７と同じ理由により，当業者であっても引用発明及び引用文献２に記載された技術的事項に基づいて，当業者が容易に発明をすることができたものとはいえない。
第６　原査定について
　理由（特許法第２９条第２項）について
　本願発明１−６は「前記ユーザ要求に基づいて，前記応答を伝達すべき時間を決定し，」という事項を，本願発明７−１０は「前記要求に基づいて，前記応答を伝達すべき時間を決定すること」という事項を，本願発明１１−１４は「前記ユーザからの前記メッセージの要求に基づいて，前記メッセージを伝達すべき時間を決定すること」という事項をそれぞれ有しており，当業者であっても，拒絶査定において引用された引用文献１，２に基づいて，容易に発明できたものとはいえない。
　したがって，原査定の理由を維持することはできない。
第７　むすび
　以上のとおり，原査定の理由によっては，本願を拒絶することはできない。
　また，他に本願を拒絶すべき理由を発見しない。
　よって，結論のとおり審決する。